(57)【要約】【課題】  取付汎用性及び耐衝撃性に優れたＲＦＩＤタグ取付具を提供する。【解決手段】  コイン型タグのＲＦＩＤタグがはめ込まれる凹部である円形嵌合部２と、該円形嵌合部２の縁に設けられはめ込まれたＲＦＩＤタグの上部に当接して支持する複数の爪部３と、円形嵌合部２の中央に形成され該円形嵌合部２よりも小さい直径の貫通孔４とを備え、円形嵌合部２を中央に配して全体が横長の形状にゴム材で形成されている。これにより、横長方向の両端側を持って曲げることで容易に嵌合部を広げてＲＦＩＤタグをはめ込むことができると共に、ゴム材によって衝撃を吸収することでＲＦＩＤタグへの衝撃を緩和することができる。【選択図】  図１
2008102726.tif 000002
【特許請求の範囲】
【請求項１】
ＲＦＩＤタグがはめ込まれる凹部である嵌合部と、
該嵌合部の縁に設けられはめ込まれた前記ＲＦＩＤタグの上部に当接して支持する複数の爪部と、
前記嵌合部の中央に形成され該嵌合部よりも小さい直径の貫通孔とを備え、
前記嵌合部を中央に配して全体が横長の形状にゴム材で形成されていることを特徴とするＲＦＩＤタグ取付具。
【請求項２】
請求項１記載のＲＦＩＤタグ取付具において、
前記嵌合部が、前記ＲＦＩＤタグとしてコイン型タグをはめ込み可能な円形嵌合部であることを特徴とするＲＦＩＤタグ取付具。
【請求項３】
請求項１又は２記載のＲＦＩＤタグ取付具において、
前記爪部が、前記横長の方向に並んで配されていることを特徴とするＲＦＩＤタグ取付具。
【請求項４】
請求項１から３のいずれか一項に記載のＲＦＩＤタグ取付具において、
前記横長の方向の両端部に、取付用孔が形成されていることを特徴とするＲＦＩＤタグ取付具。
【請求項５】
請求項１から４のいずれか一項に記載のＲＦＩＤタグ取付具において、
前記ゴム材に、金属粉が混入されていることを特徴とするＲＦＩＤタグ取付具。
【発明の詳細な説明】
【技術分野】
【０００１】
本発明は、実装されたＩＣチップに対して非接触でデータの読み書きが可能なＲＦＩＤ（Radio Frequency Identification）タグの取付具に関する。
【背景技術】
【０００２】
近年、微小な無線チップにより人や物を識別すると共に管理するＲＦＩＤ技術を用いたシステムが注目されている。このＲＦＩＤシステムでは、商品等に貼付したＲＦＩＤタグにデータを記憶させておき、無線によりＲＦＩＤリーダ／ライタ又はリーダで更新することで商品等の識別及び情報を自動的に認識して管理するものである。このＲＦＩＤシステムは、製造、販売、物流又は貸与サービス等において、ＲＦＩＤタグを取り付けた物や人等の所在やＩＤ等の情報を検出してその移動等を管理することに広く採用されつつある。このＲＦＩＤタグは、ラベル型、コイン型、シート型、スティック型等の任意の形状であり、用途に応じて使用されている。
【０００３】
上記ＲＦＩＤタグは、対応する商品等に取り付ける必要があり、取付け構造には種々のものが開発されている。従来、例えば、特許文献１には、円形凹部の嵌合部に円盤状のデータキャリア（ＲＦＩＤタグ）をはめ込むと共に係止爪で押さえてデータキャリアを時計本体に取り付けるデータキャリア付き腕時計が開示されている。また、特許文献２には、コイン型のＲＦＩＤデータキャリアを弾力のあるクリップ部で挟み込んで保持して建設資材内部へ埋設するＲＦＩＤデータキャリア設置治具が開示されている。
【０００４】
【特許文献１】特開２００１−４２０６８号公報（図１０、図１３）
【特許文献２】特開２０００−９１９６３号公報（図８）
【発明の開示】
【発明が解決しようとする課題】
【０００５】
しかしながら、上記従来の技術には、以下の課題が残されていた。
特許文献１及び２に記載されているＲＦＩＤタグの取付構造は、いずれも腕時計用又は建設資材内部用であって、別の取付対象や取付箇所にＲＦＩＤタグを取り付けるための構造を有しておらず、取付汎用性のあるものではない。また、重機、ドラム缶又は金型等、強い衝撃が加わりやすい対象にＲＦＩＤタグを取り付ける場合、衝撃が直接的にＲＦＩＤタグに加わると損傷するおそれがあるため、取付汎用性を有しながらも衝撃に対する耐環境性に優れた取付具が要望されている。
【０００６】
本発明は、上記従来技術の問題点を鑑みてなされたものであり、その目的は、取付汎用性及び耐衝撃性に優れたＲＦＩＤ取付具を提供することである。
【課題を解決するための手段】
【０００７】
本発明は、前記課題を解決するために以下の構成を採用した。すなわち、本発明のＲＦＩＤタグ取付具は、ＲＦＩＤタグがはめ込まれる凹部である嵌合部と、該嵌合部の縁に設けられはめ込まれた前記ＲＦＩＤタグの上部に当接して支持する複数の爪部と、前記嵌合部の中央に形成され該嵌合部よりも小さい直径の貫通孔とを備え、前記嵌合部を中央に配して全体が横長の形状にゴム材で形成されていることを特徴とする。
【０００８】
このＲＦＩＤタグ取付具では、嵌合部の中央に該嵌合部よりも小さい直径の貫通孔を備え、嵌合部を中央に配して全体が横長形状に柔軟なゴム材で形成されているので、横長方向の両端側を持って曲げることで容易に嵌合部を広げてＲＦＩＤタグをはめ込むことができると共に、ゴム材によって衝撃を吸収することでＲＦＩＤタグへの衝撃を緩和することができる。また、ゴム材で形成しているので、低コストで製造可能であると共に、取付対象の取付箇所が多少湾曲した面であっても、全体を取付面に沿って曲げることができ、密着状態で取り付けることができる。さらに、全体を曲げて嵌合部にＲＦＩＤタグを取り付ける際や湾曲面に沿って密着状態に取り付ける際に、嵌合部中央の貫通孔が曲げ応力を緩和するため、より容易に曲がり易い。なお、取付対象が金属物であっても、貫通孔外側における嵌合部の底面部分がスペーサの役割をして、金属物からＲＦＩＤタグを若干離間させるので、金属物による電磁波吸収の影響が緩和され、通信性能の低下を抑制することができる。
【０００９】
また、本発明のＲＦＩＤタグ取付具は、前記嵌合部が、前記ＲＦＩＤタグとしてコイン型タグをはめ込み可能な円形嵌合部であることを特徴とする。すなわち、このＲＦＩＤタグ取付具では、コイン型タグ用の円形嵌合部を有しているので、耐久性、耐薬品性及び耐環境性に優れたコイン型タグを耐衝撃性に優れたゴム材にはめ込んで取り付け可能になる。
【００１０】
また、本発明のＲＦＩＤタグ取付具は、前記爪部が、前記横長の方向に並んで配されていることを特徴とする。すなわち、このＲＦＩＤタグ取付具では、爪部が横長方向に並んで配されているので、横長方向の両端部を持って全体を曲げた際に、爪部間が拡がりやすくＲＦＩＤタグをより容易にはめ込み及び取り外しが可能になる。
【００１１】
また、本発明のＲＦＩＤタグ取付具は、前記横長の方向の両端部に、取付用孔が形成されていることを特徴とする。すなわち、このＲＦＩＤタグ取付具では、横長方向の両端部に取付用孔が形成されているので、取付孔にボルトや紐を通して取付対象に取付固定することで、多様な取付対象に容易にかつ安定して取り付けることができる。
【００１２】
また、本発明のＲＦＩＤタグ取付具は、前記ゴム材に、金属粉が混入されていることを特徴とする。すなわち、このＲＦＩＤタグ取付具では、金属粉が混入されたゴム材で形成されているので、取付対象が金属物であっても該金属物の電磁波吸収による影響を金属粉が抑制し、オンメタルタグ（登録商標）として、良好な情報通信を行うことができる。
【発明の効果】
【００１３】
本発明によれば、以下の効果を奏する。
すなわち、本発明に係るＲＦＩＤタグ取付具によれば、嵌合部の中央に該嵌合部よりも小さい直径の貫通孔を備え、嵌合部を中央に配して全体が横長形状に柔軟なゴム材で形成されているので、全体を曲げ易くＲＦＩＤタグを容易にはめ込むことができると共に、多様な取付対象及び箇所に取り付けることができ、さらに、ゴム材によりＲＦＩＤタグへの衝撃を緩和可能である。したがって、取付汎用性及び耐衝撃性に優れ、平面だけでなく湾曲面や曲面などの多様な取付箇所や重機やドラム缶などの厳しい環境下で用いられる取付対象にも取付可能になる。
【発明を実施するための最良の形態】
【００１４】
以下、本発明に係るＲＦＩＤタグ取付具の第１実施形態を、図１から図４を参照しながら説明する。
【００１５】
本実施形態のＲＦＩＤタグ取付具１は、図１から図４に示すように、コイン型タグのＲＦＩＤタグＴがはめ込まれる凹部である円形嵌合部２と、該円形嵌合部２の縁に設けられはめ込まれたＲＦＩＤタグＴの上部に当接して支持する２つの爪部３と、円形嵌合部２内の中央に形成され該円形嵌合部２よりも小さい直径の貫通孔４とを備えている。
また、このＲＦＩＤタグ取付具１は、円形嵌合部２を中央に配して全体が横長の菱形板状にゴム材で形成されている。
【００１６】
上記２つの爪部３は、上記横長の方向に並んで配されている。また、上記横長の方向の両端部には、取付用孔５がそれぞれ形成されている。すなわち、一対の取付用孔５と一対の爪部３は、円形嵌合部２の中心を通る直線上に配置されている。
上記ゴム材は、例えばシリコーン系ゴムであり、ＲＦＩＤタグ取付具１全体は、このゴム材を用いて射出成形等により一体成形されて作製される。
【００１７】
上記一対の取付用孔５は、ボルトや紐を通すことで取付対象にＲＦＩＤタグ取付具１を取付固定するためのものである。なお、本ＲＦＩＤタグ取付具１を取付対象に取り付ける際は、ＲＦＩＤタグＴを表向きにして取り付けるだけでなく、裏向きにして取り付けることもできる。この場合、ＲＦＩＤタグＴの露出を低減すると共に外れ難くし、ＲＦＩＤタグＴを隠すようにして取付対象に取付固定することができる。
【００１８】
取り付けるＲＦＩＤタグＴには、リーダ／ライタとの間で電磁誘導又は電磁結合を利用して非接触でデータの交信を行うアンテナ（図示略）及びＩＣチップ（図示略）がＰＰＳ（ポリフェニレンサルファイド）樹脂等で封止されて内蔵されている。このＲＦＩＤタグＴは、上述したように、耐久性、耐薬品性及び耐環境性に優れたコイン型タグであり、例えば３．３ｍｍ厚のものが用いられる。そして、円形嵌合部２は、このＲＦＩＤタグＴをはめ込み可能なサイズに設定されている。なお、円形嵌合部２の底面部分２ａの厚さは、例えば２ｍｍに設定される。
【００１９】
本実施形態のＲＦＩＤタグ取付具１では、円形嵌合部２の中央に該円形嵌合部２よりも小さい直径の貫通孔４を備え、円形嵌合部２を中央に配して全体が横長形状に柔軟なゴム材で形成されているので、横長方向の両端側を持って曲げることで容易に円形嵌合部２を広げてＲＦＩＤタグＴをはめ込むことができると共に、ゴム材によって衝撃を吸収することでＲＦＩＤタグＴへの衝撃を緩和することができる。
【００２０】
また、ゴム材で形成しているので、低コストで製造可能であると共に、取付対象の取付箇所が多少湾曲した面であっても、全体を取付面に沿って曲げることができ、密着状態で取り付けることができる。さらに、全体を曲げて円形嵌合部２にＲＦＩＤタグＴを取り付ける際や湾曲面に沿って密着状態に取り付ける際に、円形嵌合部２中央の貫通孔４が曲げ応力を緩和するため、より容易に曲がり易い。
【００２１】
なお、取付対象が金属物であっても、貫通孔４外側における円形嵌合部２の底面部分２ａがスペーサの役割をして、金属物からＲＦＩＤタグＴを若干離間させるので、金属物による電磁波吸収の影響が緩和され、通信性能の低下を抑制することができる。
また、爪部３が横長方向に並んで配されているので、横長方向の両端部を持って全体を曲げた際に、爪部３間が拡がりやすくＲＦＩＤタグＴをより容易にはめ込み及び取り外しが可能になる。
【００２２】
さらに、横長方向の両端部に取付用孔５が形成されているので、取付用孔５にボルトや紐を通して取付対象に取付固定することで、多様な取付対象に容易にかつ安定して取り付けることができる。なお、取付用孔５の形成位置は、上述したように、上記両端部が好ましいが、取付位置に対応した位置に形成しても構わない。
【００２３】
次に、本発明に係るＲＦＩＤタグ取付具の第２実施形態について、以下に説明する。なお、以下の実施形態の説明において、上記実施形態において説明した同一の構成要素には同一の符号を付し、その説明は省略する。
【００２４】
第２実施形態と第１実施形態との異なる点は、第１実施形態のＲＦＩＤタグ取付具１では、シリコーン系ゴムにより一体成形されているのに対し、第２実施形態のＲＦＩＤタグ取付具では、金属粉が混入されたシリコーン系ゴムにより一体成形されている点である。すなわち、この第２実施形態のＲＦＩＤタグ取付具は、金属物を取付対象としても良好な通信性能が得られるように、例えばＣｒ等の金属粉をゴム材に６０重量％混入して形成されたものである。
【００２５】
このように第２実施形態のＲＦＩＤタグ取付具では、金属粉が混入されたゴム材で形成されているので、取付対象が金属物であっても該金属物の電磁波吸収による影響を金属粉が抑制し、オンメタルタグ（登録商標）として、良好な情報通信を行うことができる。
【００２６】
なお、本発明は上記各実施形態に限定されるものでなく、本発明の趣旨を逸脱しない範囲において種々の変更を加えることができる。
【００２７】
例えば、上記各実施形態では、全体が菱形状の横長形状に形成されているが、他の横長形状に形成しても構わない。例えば、楕円形状や長方形状の横長形状に全体を成形してよい。
【図面の簡単な説明】
【００２８】
【図１】本発明に係る第１実施形態のＲＦＩＤタグ取付具を示す斜視図である。
【図２】第１実施形態に係るＲＦＩＤタグ取付具を示すＲＦＩＤタグはめ込み状態での平面図である。
【図３】第１実施形態に係るＲＦＩＤタグ取付具を示す正面図である。
【図４】第１実施形態に係るＲＦＩＤタグ取付具を示す裏面図である。
【符号の説明】
【００２９】
１…ＲＦＩＤタグ取付具、Ｔ…ＲＦＩＤタグ、２…円形嵌合部、２ａ…円形嵌合部の底面部分、３…爪部、４…貫通孔、５…取付用孔
【図１】
2008102726.tif 000003
【図２】
2008102726.tif 000004
【図３】
2008102726.tif 000005
【図４】
2008102726.tif 000006